(57)【特許請求の範囲】
【請求項１】
構造体に取り付ける支持具と、表示体を装着する表示具とを備え、
支持具が、間隔を異ならせて対向配置した少なくとも三枚の垂下片を有する取付部と、表示具を水平方向に移動自在に支持する案内部とを一体的に備えると共に、
表示具が、支持具の案内部に挿入される長尺状の調整部と、調整部の端部に設けた表示体用の装着部とを一体的に備え、
表示具の調整部が、その長手方向に所定間隔で配置した複数の調整孔を備えると共に、  支持具の案内部が、その先端部分に、一辺を中心にして回動可能な回動板を一体的に有し、この回動板に、表示具の移動により選択した調整孔に係脱可能な位置決め突起を備え、 表示具の装着部が、基板と、基板に対して回動自在な抑え板とを備え、
基板に、表示体に形成した少なくとも二つの穴が夫々係合する係合突起が設けてあると共に、抑え板に、係合突起に係脱可能な係合孔が設けてあることを特徴とする表示装置。
【請求項２】
表示具の装着部が、調整部に対して下方に曲げた状態に設けてあることを特徴とする請求項１に記載の表示装置。
【発明の詳細な説明】
【技術分野】
【０００１】
本発明は、店舗等でＰＯＰ用品として使用する表示装置に関し、とくに、構造体に装着したフックにより吊り下げ状態に陳列した商品群に対し、その商品群から突出した状態で宣伝広告等の表示体を表示するのに用いられる表示装置に関するものである。
【背景技術】
【０００２】
従来の表示装置としては、ＰＯＰ用伸縮フックの名称で、特許文献１に記載されたものがある。特許文献１に記載の表示装置（伸縮フック）は、基端に掛止部を有するベース部材と、一対のスライド部材から成るスライドアームとを備えている。スライドアームを構成する両スライド部材は、ベース部材を挟んだ状態にして互いに係合される。一方のスライド部材は、先端にＰＯＰ取付部を有している。また、ベース部材には、鋸刃状凹凸溝が形成してある。これに対して、スライド部材には、鋸刃状凹凸溝に係脱可能な係合爪が設けてある。
【０００３】
上記の表示装置は、陳列什器にベース部材の掛止部を掛止して、水平方向に延出した状態で取り付けられ、ベース部材に対してスライドアームを水平方向に移動させることで、その位置を調整することができ、この際、鋸刃状凹凸溝と係合爪との係合により、ベース部材に対してスライドアームを調整位置で保持し、係合解除により再びスライドアームが移動可能になる。なお、上記の表示装置は、スライドアームのＰＯＰ取付部にＰＯＰ（表示体）を取り付ける場合、別の取り付け用部品が必要である。
【先行技術文献】
【特許文献】
【０００４】
【特許文献１】実用新案登録第３１９００２０号公報
【発明の概要】
【発明が解決しようとする課題】
【０００５】
しかしながら、上記したような従来の表示装置では、単一の掛止部を有するベース部材と、一対のスライド部材から成るスライドアームとを備えた構成であったため、構造が複雑であるうえに、陳列什器等の構造体に対して、取り付け可能な部位が限られるという問題点があり、このような問題点を解決することが課題であった。
【０００６】
本発明は、上記従来の課題に着目して成されたものであって、構造の簡略化を実現すると共に、構造体に対する取り付けの自由度を高めることができる表示装置を提供することを目的としている。
【課題を解決するための手段】
【０００７】
本発明に係わる表示装置は、構造体に取り付ける支持具と、表示体を装着する表示具とを備えている。また、表示装置は、支持具が、間隔を異ならせて対向配置した少なくとも三枚の垂下片を有する取付部と、表示具を水平方向に移動自在に支持する案内部とを一体的に備えると共に、表示具が、支持具の案内部に挿入される長尺状の調整部と、調整部の端部に設けた表示体用の装着部とを一体的に備えている。そして、表示装置は、表示具の調整部が、その長手方向に所定間隔で配置した複数の調整孔を備えると共に、支持具の案内部が、その先端部分に、一辺を中心にして回動可能な回動板を一体的に有し、この回動板に、表示具の移動により選択した調整孔に係脱可能な位置決め突起を備え、 表示具の装着部が、基板と、基板に対して回動自在な抑え板とを備え、基板に、表示体に形成した少なくとも二つの穴が夫々係合する係合突起が設けてあると共に、抑え板に、係合突起に係脱可能な係合孔が設けてあることを特徴としている。
【０００８】
また、本発明に係わる表示装置は、より好ましい実施形態として、表示具の装着部が、調整部に対して下方に曲げた状態に設けてあることを特徴としている。
【発明の効果】
【０００９】
本発明に係わる表示装置は、とくに、構造体に取り付ける支持具と、表示体を装着する表示具とを備えたものであるから、構造の簡略化を実現することができ、また、支持具が、間隔を異ならせて対向配置した少なくとも三枚の垂下片を有する取付部を備えているので、構造体に対する取り付けの自由度を高めることができる。
【００１０】
また、表示装置は、支持具の案内部が、調整孔に係脱可能な位置決め突起を備えた回動板を一体的に有しているので、回動板の回動と表示具の移動の操作だけで、表示具を調整位置に確実に支持することができる。さらに、表示装置は、表示具の装着部が、少なくとも二つの係合突起を有する基板と、係合孔を有する抑え板とを備えているので、例えば、市販の穴開けパンチで形成した二つの穴に対応可能である。これにより、表示装置は、上記穴開けパンチで表示体に二つの穴を形成すれば、別の取り付け用部品を必要とせずに、表示体を装着することができる。
【図面の簡単な説明】
【００１１】
【図１】本発明に係わる表示装置の第１実施形態を説明する斜視図である。
【図２】図１に示す表示装置を分解状態にして示す斜視図である。
【図３】図１に示す表示装置の支持具の先端部分を示す図であって、支持具の平面図（Ａ）、回動板を解放した状態の平面図（Ｂ）、同状態の断面図（Ｃ）、及び回動板を拘束した状態の断面図（Ｄ）である。
【図４】図１に示す表示装置の表示具の先端部分を示す図であって、装着部の抑え板を解放した状態の側面図（Ａ）、及び同状態の断面図（Ｂ）である。
【図５】図１に示す表示装置を構造体に取り付けた状態を説明する側面図である。
【図６】本発明に係わる表示装置の第２実施形態を説明する斜視図である。
【図７】図６に示す表示装置を分解状態にして示す斜視図である。
【図８】図６に示す表示装置の表示具の先端部分を示す図であって、装着部の抑え板を解放した状態の側面図（Ａ）、及び同状態の断面図（Ｂ）である。
【発明を実施するための形態】
【００１２】
〈第１実施形態〉
図１〜図５は、本発明に係わる表示装置の第１実施形態を説明する図である。
表示装置Ａ１は、図１及び図２に示すように、構造体に取り付ける支持具１と、表示体Ｅを装着する表示具２とを備えている。支持部１及び表示具２は、その材料がとくに限定されるものではないが、代表的にはプラスチックであり、夫々を一体成形することが可能である。また、表示体Ｅは、紙や樹脂から成るシート状のものであり、商品の宣伝広告などを表示することができる。
【００１３】
支持具１は、間隔を異ならせて対向配置した少なくとも三枚の垂下片３Ａ，３Ｂ，３Ｃを有する取付部３と、表示具２を水平方向に移動自在に支持する案内部４とを一体的に備えている。図示の支持具１は、図中で左側である基端部に取付部３を有し、この取付部３から水平方向に延出するように案内部４を有している。
【００１４】
表示具２は、支持具１の案内部４に挿入される長尺状の調整部５と、調整部５の端部に設けた表示体用の装着部６とを一体的に備えている。図示の表示具２は、図中で右側である調整部５の先端部に、同先端部を延長した状態で装着部６を有している。
【００１５】
そして、表示装置Ａ１は、表示具２の調整部５が、その長手方向に所定間隔で配置した複数の調整孔５Ａを備えると共に、図３に示すように、支持具１の案内部４が、その先端部分に、表示具２の移動により選択した調整孔５Ｈに係脱可能な位置決め突起４Ｐを備えている。
【００１６】
支持具１において、取付部３を構成する三枚の垂下片３Ａ〜３Ｃは、上端部同士が互いに連続しており、図１中で左側から、短い第１垂下片３Ａ、長い第２垂下片３Ｂ、及び中間長さの第３垂下片３Ｃを順に配置している。そして、取付部３は、第１垂下片３Ａと第２垂下片３Ｂとの間隔Ｓ１よりも、第２垂下片３Ｂと第３垂下片３Ｃとの間隔Ｓ２を大きくしている。これにより、異なる構造体への取り付けを可能にする。
【００１７】
なお、第２垂下片３Ｂは、下端部に、第１垂下片３Ａ側への屈曲部３Ｄを有し、中間部に、第３垂下片３Ｃ側に突出する突条３Ｅを有している。また、第３垂下片３Ｃは、案内部４の下面との間に補強用のリブ３Ｆを有している。
【００１８】
支持具１の案内部４は、長辺を竪にした断面矩形の筒形状であり、側部には、挿入した表示具２の調整部５を容易に目視できるようにするため、図３（Ａ）に示すように、適数（図示例では三個）の開口部４Ａが形成してある。
【００１９】
また、支持具１の案内部４は、図３（Ｂ）〜（Ｄ）に示す先端部分に、上方に回動自在な回動板７が設けてある。回動板７は、その上辺と案内部４との連続部分を薄肉にすることで回動自在になっており、閉じた状態で内側となる面に、先述の位置決め突起４Ｐが設けてある。この位置決め突起４Ｐは、先端に球状部４Ｑを有している。
【００２０】
これに対して、案内部４には、閉じた回動板７に相対向する位置に、球状部４Ｑが係脱可能な固定用穴４Ｈを有している。この固定用穴４Ｈは、位置決め突起４Ｐの球状部４Ｑの直径程度の大きさを有しており、適当な摩擦力を伴って球状部４Ｑを係脱することが可能である。
【００２１】
表示具２の調整部５は、支持具１の案内部４に挿脱自在な断面矩形の棒形状であって、長手方向に沿って適数（図２では七個）の調整孔５Ｈが形成してある。これらの調整孔５Ｈは、支持具１の位置決め突起４Ｐが係脱自在な直径を有している。また、調整孔５Ｈは、後記するフックＦの異なる長さに対応して、その個数や間隔が設定してある。
【００２２】
表示具２の装着部６は、図４に示すように、調整部５の先端を延長した状態で連続する基板６Ａと、基板６Ａに対して回動自在な抑え板６Ｂとを備えている。抑え板６Ｂは、その上辺と基板６Ａとの連続部分を薄肉にすることで上方に回動自在になっている。
【００２３】
そして、表示部６は、基板６Ａに、表示体Ｅに形成した少なくとも二つの穴Ｅｈ，Ｅｈが夫々係合する係合突起６Ｐ，６Ｐが設けてあると共に、抑え板６Ｂに、係合突起６Ｐに係脱可能な係合孔６Ｈが設けてある。各々二つの係合突起６Ｐ及び係合孔６Ｈは、水平方向に所定間隔で配置してある。これらの係合突起６Ｐ及び係合孔６Ｈは、先述した位置決め突起４Ｐの球状部４Ｑと固定用穴４Ｈとの係脱と同様に、適当な摩擦力を伴って互いに係脱可能である。
【００２４】
ここで、上記の各係合突起６Ｐ及び係合孔６Ｈは、例えば、ＪＩＳ：Ｓ６０４１で規定された『事務用あなあけ器（２穴）』により形成されるとじ穴に対応して、夫々の間隔や直径が設定してある。つまり、当該表示装置Ａ１では、上記のあなあけ器（いわゆる市販の穴開けパンチ）により上記表示体Ｅに穴Ｅｈ，Ｅｈを形成すれば、これらの穴Ｅｈ，Ｅｈが、各係合突起６Ｐ及び係合孔６Ｈに対応したものとなる。
【００２５】
上記構成を備えた表示装置Ａ１は、図５に示すように、一方の構造体Ｍ１若しくは他方のＭ２に選択的に取り付けられる。一方の構造体Ｍ１は、細い金属棒を縦横に組み合わせた格子を備えたものであり、他方の構造体Ｍ２は、角棒状のバーを備えたものである。そして、表示装置Ａ１は、一方の構造体Ｍ１に対しては、横の金属棒に、取付部３の第１垂下片３Ａと第２垂下片３Ｂとの間を掛止させ、第２垂下片３Ｂを下段の金属棒に当接させて、取り付け完了となる。この際、表示装置Ａ１は、支持具１の取付部３において、第２垂下片３Ｂの下端部に屈曲部３Ｄを有するので、屈曲部３Ｄが外れ止めとして機能し、安定して取り付けられる。
【００２６】
また、表示装置Ａ１は、他方の構造体Ｍ１に対しては、角棒状のバーに、取付部３の第２垂下片３Ｂと第３垂下片３Ｃとの間を掛止させることで、取り付け完了となる。このようにして、表示装置Ａ１は、各構造体Ｍ１，Ｍ２に対し、選択的に且つ極めて簡単に取り付けることができる。この際、表示装置Ａ１は、第２垂下片３Ｂが突条３Ｅを有するので、角棒状のバーに突条部３Ｅが当接して隙間の無い嵌合状態が得られ、安定して取り付けられる。
【００２７】
表示装置Ａ１は、図４に示すように、装着部６の抑え板６Ｂを上方に回動させた状態にし、予め表示体Ｅに形成した穴Ｅｈ，Ｅｈを基板６Ａの係合突起６Ｐ，６Ｐに係合させる。その後、表示装置Ａ１は、抑え板６Ｂを下方に回動させて、同抑え板６Ｂの係合孔６Ｈ，６Ｈと、基板６Ａの係合突起６Ｐ，６Ｐとを適当な摩擦力を伴って係合させ、表示体Ｅを垂下状態に保持する。よって、表示装置Ａ１は、抑え板６Ｂが不用意に回動することがなく、表示体Ｅが落下するような心配がない。なお、表示装置Ａ１は、抑え板６Ｂを上方に回動させれば、表示体Ｅの交換を容易に行うことができる。
【００２８】
また、表示装置Ａ１は、図５に示すように、支持具１の回動板７を上方に回動させた状態にすると、案内部４に挿入した表示具２が水平方向に移動自在になる。ここで、例えば店舗等において、構造体Ｍ１，Ｍ２には、複数の商品Ｃを吊り下げた状態で陳列するためのフックＦが取り付けられる。このフックＦには、長さの異なるものが数種類ある。そこで、表示装置Ａ１は、表示体Ｅが商品群の外側に延出するように、表示具２の位置を調整する。
【００２９】
その後、表示装置Ａ１は、回動板７を下方に回動させ、表示具の移動により選択した調整孔５Ｈに位置決め突起４Ｐを係合する。この際、位置決め突起４Ｐは、調整孔５Ｈを貫通し、適当な摩擦力を伴って先端の球状部４Ｑを固定用穴４Ｈに係合する。よって、表示装置Ａ１は、回動板７が不用意に回動することがなく、表示具２を調整位置に確実に支持することができる。なお、表示装置Ａ１は、回動板７を上方に回動させれば、再び表示具２が位置調整可能になる。
【００３０】
上記実施形態で説明した表示装置Ａ１は、とくに、構造体Ｍ１．Ｍ２に取り付ける支持具１と、表示体Ｅを装着する表示具２とを備えたものであるから、構造の簡略化を実現することができ、また、支持具１が、間隔を異ならせて対向配置した少なくとも三枚の垂下片３Ａ〜３Ｃを有する取付部３を備えているので、異なる構造体Ｍ１，Ｍ２に対して選択的な取り付けが可能になり、構造体Ｍ１，Ｍ２に対する取り付けの自由度を高めることができる。
【００３１】
また、表示装置Ａ１は、表示具２の装着部６が、少なくとも二つの係合突起６Ｐを有する基板６Ａと、係合孔６Ｈを有する抑え板６Ｂとを備えているので、例えば、市販の穴開けパンチで形成した二つの穴に対応可能である。これにより、表示装置Ａ１は、上記穴開けパンチで表示体Ｅに二つの穴Ｅｈ，Ｅｈを形成すれば、別の取り付け用部品を全く必要とせずに、表示体Ｅを簡単に装着することができる。
【００３２】
〈第２実施形態〉
図６〜図８は、本発明に係わる表示装置の第２実施形態を説明する図である。なお、以下の第２実施形態において、第１実施形態と同様の構成部位は、同一符号を付して詳細な説明を省略する。
【００３３】
図示の表示装置Ａ２は、第１実施形態と同様の支持具１と、形態が異なる表示具２とを備えている。この実施形態の表示具２は、水平な調整部５に対して、下方に９０度曲げた状態の装着部６を備えている。装着部６は、先の実施形態と同様に、少なくとも二つの係合突起６Ｐを有する基板６Ａと、係合孔６Ｈを有する抑え板６Ｂとを備え、基板６Ａに対して、抑え板６Ｂが竪辺を中心に回動可能である。
【００３４】
上記の表示装置Ａ２は、表示具２の装着部６において、各々二個の係合突起６Ｐ及び係合孔６Ｈを竪に配列してるので、図６中に仮想線で示すように、所定の厚みを有する表示体Ｅを装着することができる。この表示体Ｅは、例えば発泡樹脂製のボードである。
【００３５】
上記の表示装置Ａ２にあっても、先の実施形態と同様に、構造の簡略化を実現することができると共に、構造体に対する取り付けの自由度を高めることができ、しかも、別の取り付け用部品を必要とせずに、表示体Ｅを簡単に装着することができる。
【００３６】
本発明に係わる表示装置は、その構成が上記各実施形態に限定されるものではなく、本発明の要旨を逸脱しない範囲で構成の細部を適宜変更することが可能である。上記各実施形態では、表示具の装着部として、二つの係合突起を有する基板、及び係合孔を有する抑え板を例示したが、二つ以上の係合突起及び係合孔を有する構成や、基板及び抑え板にマグネットと磁性体を相対的に設けた構成などにすることも可能である。また、支持具は、取付部の垂下片の数を三以上にすることも可能である。さらに、表示具は、調整部に対して装着部を回動可能に連結した構成にすることも可能である。
【符号の説明】
【００３７】
Ａ１，Ａ２  表示装置
Ｅ  表示体
Ｅｈ  表示体の穴
Ｍ１，Ｍ２  構造体
１  支持具
２  表示具
３  取付部
３Ａ，３Ｂ，３Ｃ  垂下片
４  案内部
４Ｐ  位置決め突起
５  調整部
５Ｈ  調整孔
６  装着部
６Ａ  基板
６Ｂ  抑え板
６Ｈ  係合孔
６Ｐ  係合突起
【図１】
0006662677.tif 000002
【図２】
0006662677.tif 000003
【図３】
0006662677.tif 000004
【図４】
0006662677.tif 000005
【図５】
0006662677.tif 000006
【図６】
0006662677.tif 000007
【図７】
0006662677.tif 000008
【図８】
0006662677.tif 000009